【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
インクジェットプリンタと共に用いるための、少なくとも２つのインクから成るインクジェット用インクセットであって、
（ａ）（ｉ）0.1〜50重量％の少なくとも１つの実質的に水不溶性の有機油と、0〜50重量％の少なくとも１つの第１の有機共溶媒と、0〜40重量％の少なくとも１つの第１の両親媒性物質と、0〜3重量％の少なくとも１つの高分子量のコロイドとを含有する第１のベヒクルと、
（ｉｉ）実質的に、化学処理されたブラック顔料から誘導される水溶性のブラック巨大分子発色団から成る、0.5〜20重量%の少なくとも１つのブラック着色剤と、
（ｉｉｉ）水と、
を含んで成るブラック巨大分子発色団ベースの第１のインクであって、前記諸成分からなるマイクロエマルションとして存在する第１のインクと、
（ｂ）（ｉ）0〜50重量％の少なくとも１つの第２の有機共溶媒と、0〜40重量％の少なくとも１つの第２の両親媒性物質とを含む第２のベヒクルと、
（ｉｉ）実質的に、水溶性カラー染料又は化学処理された水溶性のカラー顔料から成る、0.5〜20重量％の少なくとも１つのノンブラック着色剤と、
（ｉｉｉ）前記ノンブラックインクのイオン強度を高めるための薬剤と、
（ｉｖ）水と、
を含んで成る少なくとも１つのノンブラックインクと、
を含む、インクジェット用インクセット。
【請求項２】
１つのブラック巨大分子発色団ベースのインクと、３つのノンブラックインク（シアン、イエロー及びマゼンタ）とから成る、請求項１に記載のインクジェット用インクセット。
【請求項３】
前記ブラック着色剤又は前記ノンブラック着色剤が、陰イオン性であり且つアルカリ金属イオン、アルカリ土類金属イオン、置換アンモニウムイオン及び未置換アンモニウムイオンから成る群から選択される対イオンと会合されるか、又は陽イオン性であり且つハライド、硫酸塩、硝酸塩、リン酸塩、スルホン酸塩、カルボン酸塩、炭酸塩、炭酸水素塩、ホウ酸塩、四ホウ酸塩、四フッ化ホウ素酸塩、メタンスルホン酸塩、メチルベンゼンスルホン酸塩、亜リン酸塩、ホスホン酸塩、ヘキサフッ化ホスホン酸塩、過塩素酸塩、タングステン酸塩、モリブデン酸塩及びケイ酸塩イオンから成る群から選択される対イオンと会合される、請求項１に記載のインクジェット用インクセット。
【請求項４】
前記有機油が、グリコールエーテル、フェニルエーテル、ポリ（グリコール）エーテル、アルキルエーテル、アリールエーテル、アルキルアリールエーテル、アルキルエステル、アリールエステル、ポリ（グリコール）エステル、アルキルフェニルポリエチレンオキシド、ポリエチレンオキシド、水不溶性アセチレン型ポリエチレンオキシド、ポリエチレンオキシド・ブロック共重合体、ポリエチレンオキシドエステル、ポリエチレンオキシドジエステル、ポリエチレンオキシドアミン、ポリエチレンオキシドアミド、及びジメチコン・コポリオールから成る群から選択される少なくとも１つの化合物を含む、請求項１に記載のインクジェット用インクセット。
【請求項５】
前記第１の有機共溶媒及び前記第２の有機共溶媒が、個々独立して、脂肪族アルコール、芳香族アルコール、ジオール、グリコールエーテル、ポリ（グリコール）エーテル、カプロラクタム、ホルムアミド、アセトアミド及び長鎖アルコールから成る群から選択される少なくとも１つの化合物を含む、請求項１に記載のインクジェット用インクセット。
【請求項６】
前記第１の両親媒性物質が、イオン性界面活性剤、非イオン性界面活性剤、イオン性両親媒性物質及び非イオン性両親媒性物質から成る群から選択される、請求項１に記載のインクインク用インクセット。
【請求項７】
前記第２の両親媒性物質が、カチオン性、アニオン性及び非イオン性両親媒性物質から成る群から選択される、請求項１に記載のインクジェット用インクセット。
【請求項８】
前記高分子量コロイドが、アルギン酸塩とその誘導体、マンヌロン酸塩とその誘導体、カラジーナンとその誘導体、グアーガムとその誘導体、キサンタンガムとその誘導体、デキストランとその誘導体、キチンとその誘導体、キトサンとその誘導体、カルボキシメチルセルロースとその誘導体及びニトロメチルセルロースとその誘導体から成る群から選択される、請求項１に記載のインクジェット用インクセット。
【請求項９】
前記ノンブラックインクのイオン強度を高めるための前記薬剤が、一価及び多価の塩化物、フッ化物、臭化物、硝酸塩、及びアルカリ金属とアルカリ土類金属のトシラートから成る群から選択される無機塩であるか、又は有機酸、モノ及びポリ官能性酸及びヒドロキシ酸から成る群から選択される有機塩である、請求項１に記載のインクジェット用インクセット。
【請求項１０】
請求項１記載のインクジェット用インクセットを用いて、媒体上にプリントすることを含む、インクジェットプリント方法。
【手続補正２】
【補正対象書類名】明細書
【補正対象項目名】０００１
【補正方法】変更
【補正の内容】
【０００１】
【発明の属する技術分野】本発明は、ヒューレット・パッカード・カンパニーのDeskJet（登録商標）プリンタ等のプリンタによるサーマルインクジェットプリンティングに使用するインク組成物に関する。
【手続補正３】
【補正対象書類名】明細書
【補正対象項目名】００１２
【補正方法】変更
【補正の内容】
【００１２】
有機酸の添加は、結果的に溶解効果を限定することになり、且つ、有機酸がカラーインクにかなりの量で存在する時、有機酸は主としてその溶液のpHとイオン強度を高めるという事実に基づいている。界面で接触すると、アニオン性MMCは、特にカルボキシル化MMCの場合、イオン形態よりかなり低い水溶性の遊離酸に変換される。これらのMMCは、溶液から急速に沈殿し、その結果、隣接した部分へのにじみを軽減する。
【手続補正４】
【補正対象書類名】明細書
【補正対象項目名】００１６
【補正方法】変更
【補正の内容】
【００１６】
カラーインクと改質顔料ベースのブラックインクとの間の相互作用によって、プリント品質が向上し、ハロー効果（halo effect）が低減され且つにじみが制御される。ハロー効果は、表面張力を含む種々の化学ポテンシャルを有する２つのインクが互いに隣り合ってプリントされる時に生ずるものである。２つのインク間の界面では、光学濃度の減損が明らかに見られ、結果的に「ハロー」が出現する。本願発明は、このハロー効果を緩和するものである。
【手続補正５】
【補正対象書類名】明細書
【補正対象項目名】００３５
【補正方法】変更
【補正の内容】
【００３５】
好ましいインク組成物は、油、界面活性剤、共溶媒及び改質顔料から成る。好ましい油は、5重量％未満で存在するEPH又はPPHである。界面活性剤は、約0.1〜3重量％の間で存在するBRIJ、PLURONIC又はTERGITOLである。共溶媒は、1,5-ペンタンジオール、ジエチレングリコール及び2-ピロリドンの混合物であり、該混合物は、約5〜20重量％%の組成の全体を包含する。改質顔料は、約3〜10重量％の間の量で存在する巨大分子発色団（MMC）である。それらの成分を組合わせ、そして機械的にかき混ぜるか又は低電力音波処理を使って攪拌する。どちらの混合法も安定なマイクロエマルションを生成することがよく知られている。
【手続補正６】
【補正対象書類名】明細書
【補正対象項目名】００４４
【補正方法】変更
【補正の内容】
【００４４】
上述のように、本発明の要件に矛盾しないで、様々な種類の添加剤をインクに採用して、特定用途に使えるようインク組成物の諸特性を最適化してよい。例えば、当業者に周知のように、殺生物剤をインク組成に使って微生物の成長を阻害してよく、EDTAのような金属イオン封鎖剤を含有させて重金属不純物の有害な影響を排除してよく、さらに緩衝液を用いてインクのpHを制御してもよい。粘度調節剤及び他のアクリル又は非アクリル系高分子のようなその他の既知添加剤を添加してインク組成の各種特性を思うように改善してもよい。
【手続補正７】
【補正対象書類名】明細書
【補正対象項目名】００４６
【補正方法】変更
【補正の内容】
【００４６】
カラーインクのイオン強度は、ブラックインクのイオン強度と比べて少なくとも約20%、好ましくは少なくとも約30%、最も好ましくは少なくとも約50%の程度まで向上させることができる。上限は、数百パーセントにまで及んでよく、且つ前述の塩又は有機酸がペンの材料又は噴射するインクの諸特性に及ぼすかも知れない何らかの逆効果によってのみ制限される。イオン強度の決定は、例えば、伝導率の測定によって実施することができ、従って過度の実験の構築を考えることはない。